(57)【要約】【課題】本発明は，装飾品の取り付け強度を損なうことなく，装飾品の脱着を容易にすることができる付け爪などを提供することを目的とする。【解決手段】本発明の付け爪１は，付け爪本体１０と，装飾品２０とを含む。付け爪本体１０は，手指や足指の爪に対面するように取り付けられるものである。装飾品２０は，付け爪本体に取り付けられるものである。付け爪本体１０は，磁石３１を含んでおり，装飾品２０は，磁石３２を含んでいる。そして，この付け爪１では，磁石３１，３２の磁力によって，装飾品２０を付け爪本体１０に装着することが可能である。【選択図】図１
2011125432.tif 000002
【特許請求の範囲】
【請求項１】
手指や足指の爪に取り付けられる付け爪であって，
前記爪に対面するように取り付けられる付け爪本体と，
前記付け爪本体に取り付けられる装飾品と，
を含み，
前記付け爪本体が磁石を含み，かつ，前記装飾品が前記磁石とは別の磁石若しくは磁性材料を含むか，又は，
前記装飾品が磁石を含み，かつ，前記付け爪本体が前記磁石とは別の磁石若しくは磁性材料を含む，
付け爪。
【請求項２】
手指や足指の爪の表面をコーティングするコーティング層に装飾品を取り付けるための，爪用装飾品の取り付け方法であって，
前記方法は，
前記装飾品が磁性部材を含んでいる場合には，前記コーティング層に磁石を含ませる工程，又は，
前記装飾品が磁石を含んでいる場合には，前記コーティング層に前記装飾品用の磁石とは別の磁石若しくは磁性材料を含ませる工程，を含み，
これにより，前記装飾品が前記コーティング層に対して脱着可能となる，
爪用装飾品の取り付け方法。
【請求項３】
手指や足指の爪又は当該爪に装着される付け爪に装着される爪用装飾品であって，
磁石又は磁性材料を含み，
前記爪又は前記付け爪に対して脱着可能な爪用装飾品。
【発明の詳細な説明】
【技術分野】
【０００１】
本発明は，付け爪，及び爪用装飾品の取り付け方法などに関する。
【背景技術】
【０００２】
手指や足指の爪を装飾したり保護したりするために，爪に対面するように付け爪（ネイルチップ）を取り付けることが行われている（例えば，特許文献１，２参照。）。また，爪の表面や付け爪の表面に，造形物を立体的に施したり，既製の装飾品を接着剤で取り付けたりすることが行われている。
【０００３】
ところで，特開２００２−２８２０４０号（特許文献３）には，ボタン，ホック，面ファスナーで爪や付け爪本体に装飾品を取り付けることが提案されている。この技術により，装飾品の脱着が可能となる。
【０００４】
しかしながら，爪や付け爪は小型であるため，ボタン，ホック，面ファスナーを取り付けることは，容易ではない。具体的には，取り付けに際して，爪や付け爪を加工するのは容易ではない。また，取り付けに際し，接着剤を用いることが考えられるが，この場合には，ボタン，ホック，面ファスナーの装飾品取り付け面に接着剤が付着する事態が生じて，取り付け強度が低下する。したがって，そのため，装飾品の取り付け強度を損なうことなく，装飾品の脱着を容易にすることが求められている。
【先行技術文献】
【特許文献】
【０００５】
【特許文献１】特許第３７２５６４９号
【特許文献２】特許第３８８６５７８号
【特許文献３】特開２００２−２８２０４０号公報（図３，図５，段落００３２）
【発明の概要】
【発明が解決しようとする課題】
【０００６】
そこで，本発明は，装飾品の取り付け強度を損なうことなく，装飾品の脱着を容易にすることができる付け爪及び爪用装飾品の取り付け方法などを提供することを目的とする。
【課題を解決するための手段】
【０００７】
本発明の第１の側面は，手指や足指の爪に取り付けられる付け爪に関する。この付け爪は，付け爪本体と，装飾品とを含む。ここで，付け爪本体は，爪に対面するように取り付けられるものである。装飾品は，付け爪本体に取り付けられるものである。
【０００８】
そして，この第１の側面では，上記付け爪本体が磁石を含んでいるとともに，上記装飾品が付け爪本体用の磁石とは別の磁石又は磁性材料を含んでいる。ここでいう「含む」とは，接着剤等による固定や取り付けや，埋め込みなどによって実質的に一体化されていることをいう。これに代えて，上記装飾品が磁石を含んでいるとともに，上記付け爪本体が装飾品用の磁石とは別の磁石又は磁性材料を含んでいてもよい。このようにすることで，付け爪本体に装飾品を近づけることで，磁力により装飾品を付け爪本体上で保持することができることとなる。すなわち，第１の側面では，磁石同士の組み合わせ，又は磁石と磁性材料との組み合わせによって，装飾品を保持するための保持手段を構成している。
【０００９】
上述したように構成することにより，磁力によって，装飾品を付け爪本体に容易に取り付けることができるとともに，装飾品の取り付け強度を維持することができる。また，装飾品に磁力を上回る力を加えることにより，装飾品を容易に取り外すことができる。
【００１０】
また，本発明の好ましい側面では，上述した付け爪において，
前記付け爪本体と前記装飾品の接触面が平坦である。
ここで，磁力は，接触面に垂直な方向に比較的大きく作用し，接触面に平行な方向には比較的小さく作用する。このため，装着品の取り付け強度を十分に確保することができるとともに，装飾品に対して，接触面に平行な方向に（スライドさせるように）力を加えることで，装飾品を容易に取り外すことができる。
【００１１】
また，本発明の好ましい側面では，上述した付け爪において，
前記付け爪本体の磁石又は磁性材料は，
露出しており，
前記装飾品との接触面を除く部分には，装飾又は塗装が施されており，
これにより，前記付け爪本体に前記装飾品を装着したときに前記装飾又は塗装が露出する。
この側面によれば，装飾品を付け爪本体に装着することで，付け爪本体用の磁石や磁性材料が露出するのを防止することができ，これにより，付け爪のデザイン性を高めることができる。
【００１２】
また，本発明の好ましい側面では，上述した付け爪において，
前記装飾品の磁石又は磁性材料は，
露出しており，
前記付け爪本体との接触面を除く部分には，装飾又は塗装が施されており，
これにより，前記付け爪本体に前記装飾品を装着したときに前記装飾又は塗装が露出する。
この側面によれば，装飾品を付け爪本体に装着することで，装飾品用の磁石や磁性材料が露出するのを防止することができ，これにより，付け爪のデザイン性を高めることができる。
【００１３】
また，本発明の好ましい側面では，上述した付け爪において，
前記装飾品の磁石又は磁性材料は，前記付け爪本体の磁石又は磁性材料よりもサイズが小さい。
これにより，装飾品に含まれる磁石又は磁性材料を（特に露出している場合に）目立ちにくくすることができる。また，装飾品の軽量化を図ることができる。なお，ここでいうサイズとしては，例えば，第１の磁石との接触面に垂直な方向の寸法（厚み）や，その接触面の面積を挙げることができる。
【００１４】
本発明の第２の側面は，爪用装飾品の取り付け方法に関する。この爪用装飾品の取り付け方法は，手指や足指の爪の表面をコーティングするコーティング層に装飾品を取り付けるためのものである。
【００１５】
この方法では，装飾品が保持手段の磁性材料を含んでいる場合には，コーティング層に磁石を含ませる。なお，装飾品が磁石を含んでいる場合には，コーティング層に装飾品用の磁石とは別の磁石又は磁性材料を含ませてもよい。これにより，装飾品がコーティング層に対して脱着可能となる。したがって，この第２の側面によっても上述した第１の側面と同等の効果を奏することができる。
【００１６】
また，上述した第１の側面において，付け爪を構成する付け爪本体や装飾品そのものも本発明の少なくとも一部を構成することとなる。したがって，本発明の第３の側面や第４の側面は，磁石又は磁性材料を含む付け爪本体や爪用装飾品，に関する。例えば，本発明の第３の側面に係る発明は，付け爪において装飾品を取り付けるための付け爪本体であって，手指や足指の爪に対面するように取り付けられるものであり，磁石又は磁性材料を含み，前記装飾品を脱着可能な付け爪本体，である。本発明の第４の側面に係る発明は，手指や足指の爪に装着される付け爪本体に装着される爪用装飾品であって，磁石又は磁性材料を含み，前記付け爪本体に対して脱着可能な爪用装飾品，である。
【００１７】
同様に，上述した第２の側面において，爪に取り付けられる装飾品も本発明の少なくとも一部を構成することとなる。したがって，本発明の第５の側面は，磁石又は磁性材料を含む爪用装飾品，に関する。すなわち，本発明の第５の側面に係る発明は，手指や足指の爪に装着される爪用装飾品であって，磁石又は磁性材料を含み，前記爪に対して脱着可能な爪用装飾品，である。
【００１８】
そして，上述した第４の側面と第５の側面をまとめると，
手指や足指の爪又は当該爪に装着される付け爪に装着される爪用装飾品であって，
磁石又は磁性材料を含み，
前記爪又は前記付け爪に対して脱着可能な爪用装飾品，
も本発明の少なくとも一部を構成する。
【発明の効果】
【００１９】
本発明によれば，装飾品の取り付け強度を損なうことなく，装飾品の脱着を容易にすることができる付け爪，爪用装飾品の取り付け方法，付け爪本体，及び爪用装飾品などを提供することができる。
【図面の簡単な説明】
【００２０】
【図１】図１は，本発明の第１の態様に係る付け爪の外観を示す写真である。
【図２】図２は，図１に示す付け爪を構成する付け爪本体の外観を示す写真である。
【図３】図３は，図１に示す付け爪を構成する装飾品の外観を示す写真である。
【発明を実施するための形態】
【００２１】
以下，図面を用いて本発明を実施するための形態を説明する。しかしながら，以下説明する形態はある例であって，当業者にとって自明な範囲で適宜修正することができる。
【００２２】
図１は，本発明の第１の態様に係る付け爪の外観を示す写真である。図２は，図１に示す付け爪を構成する付け爪本体の外観を示す写真である。図３は，図１に示す付け爪を構成する装飾品の外観を示す写真である。なお，図１〜図３において，観る方向は異なっている。
【００２３】
図１に示す付け爪１は，手指や足指の爪に取り付けられるものである。この付け爪１は，付け爪本体１０と，装飾品２０とを含む。ここで，付け爪本体１０は，爪に対面するように取り付けられるものである。装飾品２０は，付け爪本体１０に取り付けられるものである。また，付け爪本体１０と装飾品２０とは，後述するように，保持手段３０を共有している。この保持手段は，付け爪本体１０に装着した装飾品２０を保持するための手段である。
【００２４】
図２に示すように，付け爪本体１０は，本体部１１と，磁石３１とを含んでいる。本体部１１は，爪の形状に合わせて成形されている。磁石３１は，保持手段３０の一部を構成するものである。また，磁石３１は，図２に示す例では，直方体をなしている。そして，磁石３１は，その底面において本体部１１に固定されている。つまり，磁石３１は，本体部１１の表面から突き出るように配置されている。ここで，磁石３１の本体部１１への固定には，公知の接着剤や，ネイル業界において使用されている硬化性材料を用いることができる。ここで，接着剤を用いても，磁石３１の磁力が低下するような事態は生じない。したがって，保持手段３０として磁石３１を用いることは，ボタン，ホック，及び面ファスナーを用いる場合に比べて有利である。なお，磁石３１は，直方体をなしているとしたが，他の形状（例えば，円柱状，ハート形，星形）であってもよい。
【００２５】
さらに，図２に示す例では，磁石３１には，装飾３１ａが施されている。装飾３１ａは，塗装を含むものであってもよいし，塗装を含まないものであってもよい。又は，装飾３１ａに変えて塗装のみを施してもよい。これらのように磁石３１に装飾３１ａや塗装を施すことで，図１に示すように，付け爪本体１０に装飾品２０を装着したときに，装飾３１ａや塗装が露出することとなる。これにより，磁石３１の側面が露出するのを防止することができ，これにより，付け爪１のデザイン性（審美性）を高めることができる。好ましくは，装飾３１ａ又は塗装は，図２に示すように，磁石３１の露出している側面にのみ施されており，装飾品２０（後述する磁石３２）との接触面には施されていない。これにより，付け爪本体１０のサイズが大型化することを防止することができるとともに，装飾３１ａ又は塗装が磁石３１の磁力を妨害することが回避される。
【００２６】
図３に示すように，装飾品２０は，本体部２１と，磁石３２とを含んでいる。本体部２１は，爪の形状に合わせて成形されている。磁石３２は，保持手段３０の一部を構成するものである。また，磁石３２は，図３に示す例では，直方体をなしている。そして，磁石３２は，その底面において本体部２１に固定されている。つまり，磁石３２は，本体部２１の表面から突き出るように配置されている。ここで，磁石３２の本体部２１への固定には，公知の接着剤や，ネイル業界において使用されている硬化性材料を用いることができる。ここで，接着剤を用いても，磁石３２の磁力が低下するような事態は生じない。したがって，保持手段３０として磁石３２を用いることは，ボタン，ホック，及び面ファスナーを用いる場合に比べて有利である。なお，磁石３２は，直方体をなしているとしたが，他の形状（例えば，円柱状，ハート形，星形）であってもよい。また，図３に示す例では，装飾品２０の本体部２１は，１つの部材で構成されているが，複数の部材で構成されていてもよい。また，装飾品２０は，さらに，別の装飾品が装着可能となっていてもよい。そのような別の装飾品の例としては，チェーン，貴金属，宝玉（例：パール，ルビー）又はその模造品を挙げることができる。
【００２７】
さらに，図３に示す例では，磁石３２には，装飾３２ａが施されている。装飾３２ａは，塗装を含むものであってもよいし，塗装を含まないものであってもよい。又は，装飾３２ａに変えて塗装のみを施してもよい。これらのように磁石３２に装飾３２ａや塗装を施すことで，図１に示すように，装飾品２０を付け爪本体１０に装着したときに，装飾３２ａや塗装が露出することとなる。これにより，磁石３２の側面が露出するのを防止することができ，これにより，付け爪１のデザイン性（審美性）を高めることができる。好ましくは，装飾３２ａ又は塗装は，図２に示すように，磁石３２の露出している側面にのみ施されており，付け爪本体１０（磁石３１）との接触面には施されていない。これにより，装飾品２０のサイズが大型化することを防止することができるとともに，装飾３２ａ又は塗装が磁石３２の磁力を妨害することが回避される。
【００２８】
好ましくは，磁石３２は，磁石３１よりもサイズが小さい。具体的には，磁石３２の厚みが磁石３１の厚みよりも小さく，より好ましくは，磁石３２の厚みが磁石３１の厚みの２分の１以下，さらに好ましくは３分の１以下である。また，好ましくは，磁石３２が付け爪本体１０に対向する面の面積は，磁石３１が装飾品２０に対向する面の面積よりも小さい。これらのようにすることで，装飾品２０に含まれる磁石３２を目立ちにくくすることができるだけでなく，装飾品２０の軽量化を図ることができる。なお，装飾品２０が重量物である場合や大型である場合には，磁石３２としては磁力が十分に高いものを用いることが好ましい。また，磁石３２の形状と，磁石３１の形状は同じであってもよいし，異なっていてもよい。例えば，磁石３２を円柱状にして，磁石３１を直方体にしてもよく，これによっても，装飾品２０の磁石３２を目立ちにくくすることができる。
【００２９】
また，図１に示す態様では，付け爪本体１０と装飾品２０の接触面（つまり，保持手段３０を構成する２つの磁石３１，３２の接触面）は，平坦である。好ましくは，接触面は，平坦であり，かつ１つの平面をなしている。なお，ここでいう平坦とは，付け爪本体１０と装飾品２０とが摺動（スライド）可能な程度に平らであることをいう。これに代えて，接触面において磁石３２がスライド可能な方向を決めるために，磁石３１，３２に，互いに嵌合する溝（凹部）と凸部を設けてもよく，さらには，スライド方向における装飾品の移動を規制するために，スライド方向において溝の一端にストッパーを設けてもよい。
【００３０】
続いて，付け爪本体１０に対する装飾品２０の脱着について説明する。この脱着は，上述した保持手段３０を構成する磁石３１，３２の脱着により実現される。
【００３１】
装飾品２０を付け爪本体１０に取り付ける際には，付け爪本体１０の表面に露出した磁石３１と，装飾品２０の表面に露出した磁石３２とが互いに磁力で引き合うことによって，付け爪本体１０上で装飾品２０が接触した状態で保持される。磁力を利用しているので，装飾品２０の取り付けは容易である。ここで，保持手段３０を構成する２つの磁石３１，３２は，互いに面接触しているので，磁力は，接触面に垂直な方向（以下，面方向ともいう）に大きく作用し，その結果，磁石３１，３２間の結合は強固となる。したがって，付け爪本体１０に対する装飾品２０の取り付け強度は十分に（例えば，実用に耐える程度に）高い。また，付け爪本体１０や装飾品２０は磁石３１，３２を含んでいるので，使用者においては，付け爪１又は付け爪本体１０を爪に装着することで，指先や指先近傍の血行を促進させることができる。
【００３２】
また，本態様では，磁石３１，３２が本体部１１，２１から突き出ているので，付け爪本体１０の本体部１１と装飾品２０の本体部２１との間に空間を設けることができる。言い換えると，磁石３１，３２を土台又は台座として機能させることができる。これにより，装飾品２０の本体部２１が立体的なものであっても，付け爪本体１０に装着することができたり，付け爪本体１０の表面に立体的な装飾を施しても，装飾品２０を装着することができたりするようになる。
【００３３】
一方，装飾品２０を付け爪本体１０から取り外す際には，装飾品２０に対して，磁力を上回る力を加える。なお，装飾品２０の取り外しは，付け爪本体１０が爪に取り付けられている状態で行ってもよいし，付け爪本体１０を爪から取り外した後に行ってもよい。そして，磁石３１，３２は，面方向に対して平行な方向に外れやすい。したがって，装飾品２０を取り外す際に加える力は面方向に対して平行な方向であることが好ましい。このようにスライドさせるだけで装飾品２０を付け爪本体１０から取り外すことができる。つまり，図１に示す例では，装飾品２０の取り外しが容易である。また，上述したように，接触面を平坦にしておくことで，装飾品２０の取り外しはさらに容易になる。そして，装飾品２０の取り外しが容易であるため，装飾品２０と同様に構成された他の装飾品との交換が容易である。
【００３４】
また，装飾品２０を付け爪本体１０から取り外した後には，付け爪本体１０や装飾品２０を，磁性材料製（例えば鉄製）の物体などに取り付けることで，付け爪１の保管を行うことができる。これにより，使用者は，付け爪本体１０や装飾品２０を紛失する可能性を低減させることができる。また，付け爪本体１０に装飾品２０を装着した状態で保管することにより，使用者は，付け爪本体１０と装飾品２０との組み合わせを忘れずに保管することができる。
【００３５】
なお，図１に示す態様では，付け爪本体１０において本体部１１に磁石３１が取り付けられているが，これに代えて，磁石３１を見えないように本体部１１に埋め込んでもよいし，一部を本体部１１に埋め込んで残りの部分を露出させてもよい。同様に，装飾品２０において，磁石３２を見えないように本体部２１に埋め込んでもよいし，一部を本体部１１に埋め込んで残りの部分を露出させてもよい。これらの場合には，本体部１１や本体部２１に凹部等を形成する必要があるが，磁石３１や磁石３２の側面に装飾や塗装を施す面積を少なくすることができる。また，磁石３１や磁石３２の磁力を高めたり，磁力の方向を整えたりするために，磁石３１や磁石３２の外周面に，磁性材料（例えば，鉄）を配置してもよい。
【００３６】
また，上述した態様では，付け爪本体１０の磁石３１の接触面や装飾品２０の磁石３２の接触面には，装飾や塗装が施されていないとした。これに代えて，装飾や塗装を施してもよい。これにより，装飾品２０を取り外したときに，接触面が露出しても，デザイン性が損なわれることを回避することができる。
【００３７】
上述した態様では，付け爪本体１０と装飾品２０の接触面（磁石３１，３２の接触面）が平坦であるとした。しかし，接触面は必ずしも平坦である必要はなく，また，部分的に平坦であってもよい。また，図１に示す例では，付け爪本体１０と装飾品２０の接触面（磁石３１，３２の接触面）が，爪の表面や付け爪本体１０の表面と略平行となるように，磁石３１，３２が配置されているが，接触面の向きはいかなる方向であってもよい。例えば，磁石３１，３２を爪の表面や付け爪本体１０の表面に対して略垂直となるように配置してもよい。これにより，付け爪本体１０に装着されている装飾品２０にかかる力（例えば，遠心力）を磁石３２の接触面で受け止めることができるとともに，装飾品２０を取り外すときのスライド方向を変更することができる。より好ましくは，装飾品２０の磁石３２を，２つ以上の互いに対面する磁石３１で挟み込むように磁石３１，３２を配置するか，又は，付け爪本体１０の磁石３１を，２つ以上の互いに対面する磁石３２で挟み込むように磁石３１，３２を配置する。
【００３８】
また，図１に示す態様では，保持手段３０が磁石同士の組み合わせである場合について説明した。これに代えて，保持手段３０が，磁石と磁性材料（例えば，鉄，コバルト，ニッケル）との組み合わせであってもよい。この場合，付け爪本体１０及び装飾品２０の一方が磁石を含み，他方が磁性材料を含むこととなる。好ましくは，付け爪本体１０が磁石を含み，装飾品２０が磁性材料を含む。磁性材料は一般的に磁石よりも安価であるため，付け爪本体１０に装着可能な装飾品２０を容易に製造することができることとなる。
【００３９】
ところで，上述した態様に係る付け爪１では，付け爪本体１０に装飾品２０を装着する場合について説明した。ここで，装飾品２０は，磁石３２又は磁性材料を含んでいるため，他の磁石や磁性材料にも装着可能である。そこで，以下に説明する第２の態様では，付け爪本体１０ではなく，爪そのものに装飾品２０を装着する。
【００４０】
第２の態様では，まず，爪にコーティング層を形成する。コーティング層の形成は，例えば，乾燥により凝固する液剤（例えば，ジェル，トップコート）を，手指や足指の爪の表面に塗布し，その液剤が乾燥する前に，磁石又は磁性材料を配置する。これに代えて，磁石又は磁性材料を爪の表面に配置してから，液剤を塗布してもよい。そして，液剤が乾燥することにより，磁石又は磁性材料が固定される。このようにすることで，図１や図３を用いて説明したような装飾品２０を，磁石又は磁性材料を介して爪に取り付けることができる。すなわち，この第２の態様においても，上述した第１の態様と同等の効果を奏することができる。好ましくは，コーティング剤によって固定されるものは磁石であり，これにより，装飾品２０が磁性材料を含む場合であっても磁石を含む場合であっても付け爪本体１０に装着することができる。
【００４１】
また，上述した第２の態様をさらに応用することにより，装飾品２０に対して別の装飾品を脱着可能に取り付けることもできる。具体的には，乾燥により凝固する液剤を用いて，装飾品２０に別の磁石等を固定する。これにより，装飾品２０に別の装飾品を装着することができる。
【００４２】
以上，本発明の実施の形態を例示により説明したが，本発明の範囲はこれらに限定されるものではなく，請求項に記載された範囲内において目的に応じて変更または変形することが可能である。また，付け爪本体１０や装飾品２０だけでも本発明の少なくとも一部を構成するのはいうまでもない。
【００４３】
例えば，上述した各態様において，爪は，ヒトの爪であってもよいし，動物（例えば，ペット）の爪であってもよい。また，さらに，１つの付け爪本体１０の本体部１１に対して複数箇所に磁石や磁性材料を固定してもよい。これにより，複数の位置の所望の位置に装飾品２０を装着することができる。また，１つの装飾品２０の本体部２１に対して複数箇所に磁石や磁性材料を固定してもよい。この場合，複数の付け爪本体１０に対して，１つの装飾品２０が装着されてもよい。また，磁石や磁性材料を，粉末状にして，付け爪本体１０の本体部１１の構成材料や装飾品２０の本体部２１の構成材料に含ませてもよい。
【産業上の利用可能性】
【００４４】
本発明は，ネイル業界，デザイン業界，ファッション業界，及びペット産業等において利用されうる。
【符号の説明】
【００４５】
１  付け爪
１０  付け爪本体
１１  本体部
２０  装飾品
２１  本体部
３０  保持手段
３１  磁石
３１ａ  装飾
３２  磁石
３２ａ  装飾
【図１】
2011125432.tif 000003
【図２】
2011125432.tif 000004
【図３】
2011125432.tif 000005